(57)【要約】【課題】  外観を損なうことなく小型で良好な無線通信が可能な照明装置を提供する。【解決手段】  発光部と、撮像装置に着脱可能に装着するための接続部と、電波を用いた無線通信に用いるアンテナと、光を用いた無線通信に用いる受光センサと、補助光を照射する補助光ユニットと、を有する照明装置であって、前記アンテナは、当該照明装置の上下方向において、前記受光センサ及び前記補助光ユニットよりも前記接続部から離れた位置に配置されていて、前記受光センサ及び前記補助光ユニットは、当該照明装置の左右方向において、並んで配置されている。【選択図】  図２
2017068067.tif 000002
【特許請求の範囲】
【請求項１】
発光部と、
撮像装置に着脱可能に装着するための接続部と、
電波を用いた無線通信に用いるアンテナと、
光を用いた無線通信に用いる受光センサと、
補助光を照射する補助光ユニットと、を有する照明装置であって、
前記アンテナは、当該照明装置の上下方向において、前記受光センサ及び前記補助光ユニットよりも前記接続部から離れた位置に配置されていて、
前記受光センサ及び前記補助光ユニットは、当該照明装置の左右方向において、並んで配置されていることを特徴とする照明装置。
【請求項２】
前記アンテナは、当該照明装置の左右方向において、中心からずれた位置に配置されていることを特徴とする請求項１に記載の照明装置。
【請求項３】
前記受光センサ及び前記補助光ユニットと面する位置に配置されている光学部材をさらに有することを特徴とする請求項１または２に記載の照明装置。
【請求項４】
前記アンテナは、当該照明装置の前後方向において、前記光学部材と重ならない位置に配置されていることを特徴とする請求項３に記載の照明装置。
【請求項５】
電池を収納する電池収納部と、
当該照明装置の上下方向において、前記電池収納部よりも前記接続部に近い位置に配置されているトランスと、をさらに有し、
前記受光センサは、当該照明装置の左右方向において、前記補助光ユニットよりも前記トランスから離れた位置に配置されていることを特徴とする請求項１乃至４のいずれか１項に記載の照明装置。
【請求項６】
前記アンテナ及び前記受光センサは、当該照明装置の上下方向において、並んで配置されていることを特徴とする請求項５に記載の照明装置。
【請求項７】
前記発光部は、当該照明装置の上下方向において、前記接続部よりも上側に配置されていることを特徴とする請求項１乃至６のいずれか１項に記載の照明装置。
【請求項８】
前記補助光ユニットは、前記接続部に接続された撮像装置による焦点検出のための補助光を照射することを特徴とする請求項１乃至７のいずれか１項に記載の照明装置。
【発明の詳細な説明】
【技術分野】
【０００１】
本発明は、電波を用いた無線通信により他の電子機器と通信可能な照明装置に関する。
【背景技術】
【０００２】
特許文献１には、光パルス信号を通信手段として利用する照明装置であるストロボ装置を含むワイヤレス多灯システムが開示されている。しかし、光パルス信号を利用する通信では、受信側ストロボ装置が有する受光センサの受光範囲が限られている場合が多く、受信側ストロボ装置の向きに注意が必要となる。また、投受光ストロボ装置間に遮蔽物が存在すると通信ができない場合がある等、不便である。
【０００３】
そこで光パルス信号を利用する通信に代えて、電波（無線通信）を利用するワイヤレス多灯システムが考えられる。以下、特に断りがない限り、光パルス信号を用いた無線通信のことを光パルス通信と表現し、電波を用いた無線通信のことを無線通信と表現する。例えば、特許文献２に開示されているような一般的な構成のストロボ装置に無線通信用の無線モジュールを配置する場合には、電池や、メインキャパシタおよび反射板等の金属体の影響を受けないように配置する必要がある。そのため、ストロボ装置の可動筐体上面の外装部分に無線モジュールを配置することが考えられる。
【先行技術文献】
【特許文献】
【０００４】
【特許文献１】特開２０００−０８９３０５号公報
【特許文献２】特開２０１０−１２８３７４号公報
【発明の概要】
【発明が解決しようとする課題】
【０００５】
しかしながら、無線モジュールを可動筐体に配置した場合、以下のような問題が生じる。第一に、無線モジュールが可動筐体側に組み込まれると、無線モジュールと固定筐体側に設けられた制御基板とを電気的に接続するためのハーネス類が増加する。また、可動筐体は照射方向の旋回動作を行うように構成されており、ハーネス類が増加することにより旋回動作時に断線の可能性が増す。
【０００６】
第二に、一般的にアンテナの送受信性能は、アンテナが無指向性であっても、所定の平面内において指向性が無いだけである。ワイヤレス多灯システムに用いられる複数のストロボ装置は、一般的に水平面方向の広がりを持って設置されるため、そのアンテナも水平面方向に無指向性となることが好ましい。ところが、可動筐体内に無線モジュールが配置されると、可動筐体を上方へ向ける所謂上バウンス動作が行われた場合に無線モジュールが傾き、アンテナの指向性が変化する。
【０００７】
第三に、特許文献２に開示されているように、可動筐体の照射角を拡大させるための拡散板やバウンス時に照射光を被写体に向けて反射させるためのキャッチライト板の収納スペースに無線モジュールを重ねて設置すると、可動筐体が大型化して外観を損なう。
【０００８】
そこで本発明は、外観を損なうことなく小型で良好な無線通信が可能な照明装置を提供することを目的とする。
【課題を解決するための手段】
【０００９】
上記の目標を達成するために、本発明に係る照明装置は、発光部と、撮像装置に着脱可能に装着するための接続部と、電波を用いた無線通信に用いるアンテナと、光を用いた無線通信に用いる受光センサと、補助光を照射する補助光ユニットと、を有する照明装置であって、前記アンテナは、当該照明装置の上下方向において、前記受光センサ及び前記補助光ユニットよりも前記接続部から離れた位置に配置されていて、前記受光センサ及び前記補助光ユニットは、当該照明装置の左右方向において、並んで配置されていることを特徴とする。
【発明の効果】
【００１０】
本発明によれば、外観を損なうことなく小型で良好な無線通信が可能な照明装置を提供することができる。
【図面の簡単な説明】
【００１１】
【図１】本発明に係るストロボ装置の外観斜視図である。
【図２】本発明に係るストロボ装置の正面側から見た分解斜視図である。
【図３】本発明に係るストロボ装置の縦断面図である。
【図４】本発明に係るストロボ装置の下面側から見た内部構成図である。
【発明を実施するための形態】
【００１２】
以下、本発明の実施例について、図面を参照しながら詳細に説明する。各図において、同一の部材については同一の参照番号を付し、重複する説明は省略する。
【００１３】
まず、図１を参照して、本発明に係る照明装置であるストロボ装置１の外観について説明する。図１は、本実施形態に係るストロボ装置１の外観斜視図であり、図１（ａ）はストロボ装置１を発光パネル４が配置されている正面側から見た図、図１（ｂ）はストロボ装置１を背面側（操作部側）から見た図をそれぞれ示す。本実施形態のストロボ装置１は、電波を用いた無線通信により、無線通信可能な撮像装置や照明装置や無線通信機など他の電子機器と通信可能である。
【００１４】
ストロボ装置１は、大きく分けて、上部側のヘッド部２（第２の筐体）と下部側の制御部３（第１の筐体）とから構成されている。ヘッド部２は、発光パネル４の内側に光源であるキセノン管を備え、旋回動作により発光パネル４からの照射光の照射方向を制御部３に対して相対的に変化させる所謂バウンス機能を有する。またヘッド部２は、発光ユニットケース５と円筒形状を成したバウンスケース６とを備えて構成されている。発光ユニットケース５は、バウンスケース６に対して相対的に上下方向（Ｚ方向）における旋回動作が可能である。バウンスケース６は、制御部３に対して相対的に水平方向（ＸＹ面内方向）における旋回動作が可能である。このように、ヘッド部２は、制御部３に対して相対的に回動可能であり、光源の照射方向を変化させるように動作する。また制御部３は、ヘッド部２を支持してヘッド部２の動作を制御する。
【００１５】
外装部材であるリアカバー１３は、制御部３の背面側に設けられている。リアカバー１３には、表示部１４や電源スイッチ１５、操作ボタン１６、ダイヤル１７等の操作部が配置され、各種の機能設定を行うことができる。１０は、制御部３の内部に電源用電池を装填するための開閉可能な電池蓋である。下面側の外装部材であるボトムカバー８には、不図示の撮像装置であるカメラのアクセサリシューに着脱可能に装着するための接続部である脚部９が備えられている。フロントカバー７は、制御部３の正面側の外装部材である。フロントカバー７の中央部には、その前方に突出したバルジ部７ａ（膨らみ部）が設けられている。バルジ部７ａの下半分には、光パルス通信用、および、低輝度時にカメラの焦点検出を補助する補助光照射用の窓１１が配置されている。窓１１は、光と透過する光学部材である。光パルス通信については、特許文献１に開示されたような従来システムと同様であるため、その詳細の説明は省略する。以上のように、本実施形態では、制御部３のバルジ部７ａが設けられている側を正面側（前面側）、表示部１４や操作部が設けられている側を背面側（後面側）とし、制御部３の脚部９が設けられている側を下面側としている。そして、図１に示したＸ方向は、制御部３の前後方向、Ｙ方向は制御部３の左右方向、Ｚ方向は制御部３の上下方向に対応している。なお、以下では特に説明がない限り、ストロボ装置１の前後方向、左右方向、上下方向は、制御部３の前後方向、左右方向、上下方向と等しいものとする。
【００１６】
次に、図２、図３および図４を参照して、ストロボ装置１の内部構造について説明する。図２は、制御部３からフロントカバー７およびボトムカバー８を取り外して正面側から見た、制御部３の内部を示す分解斜視図である。図３は、ストロボ装置１の左右方向に直交する断面を示す縦断面図である。図４は、アクシューユニットおよびフロントカバー７を取り外して下面側から見た、制御部３の内部構成を示す図である。
【００１７】
まず、ヘッド部２の構成について説明する。本実施形態におけるストロボ装置１は、発光パネル４と光源であるキセノン管５２の相対距離変化により照射角を変化させる電動ズーム機能を備えている。発光ユニットケース５内部の大部分は、電動ズーム機能の機構を構成する発光ユニット５３で占められている。発光ユニット５３の構造体であるフード５６には、スクリュー（不図示）を備えたモーターユニット（不図示）が取り付けられている。反射傘ホルダー５７には、光源であるキセノン管５２、および、キセノン管５２の光を前方へ反射させる反射傘５１が取り付けられている。反射傘ホルダー５７は、スクリュー（不図示）の回転に連動して発光パネル４とキセノン管５２の相対距離を変化させる。
【００１８】
フード５６の背面（バウンスケース６側）には、キセノン管５２と接続されたヘッド基板６０が取り付けられている。ヘッド基板６０には、発光制御に付随する回路やコネクタ類が実装されている。発光ユニット５３の上部には、ワイドパネル５５が収納されている。ワイドパネル５５は、反射傘ホルダー５７の移動だけでは得られない、より広角の照射角を得るための光拡散性を有する光学部材である。ワイドパネル５５は、ワイドパネルホルダー５４に軸支されるとともに、図３中において左旋方向の付勢力を受けている。ワイドパネル５５の使用時には、ワイドパネル５５のみが発光ユニットケース５の収納部内より引き出され、前述の付勢力により発光パネル４の前面に覆いかぶさるように配置される。円筒形状を有するバウンスケース６の内部には、コンデンサ２８（メインコンデンサ）が設けられている。すなわち、コンデンサ２８は、ヘッド部２を制御部３に対して相対的に上下方向（Ｚ方向）に回動させる際の回動軸上に配置されている。また、コンデンサ２８は、後述するヘッド部２と制御部３の連結部近傍に配置されている。コンデンサ２８は、ヘッド部２に収納され、光源としてのキセノン管５２を発光させるための電荷を蓄積する。この蓄積電荷により、キセノン管５２の発光に必要な高電圧が生成される。制御部３と対向するバウンスケース６の下面には、左右旋回用（ＸＹ平面内旋回用）の軸部６ａが形成されている。
【００１９】
ヘッド基板６０に接続された不図示の配線類は、バウンスケース６の円筒中心を回転中心とする発光ユニットケース５とバウンスケース６間の不図示の回転部を通って、コンデンサ収納部６ｃに導かれる。これらの配線類は、コンデンサ２８に接続される配線とともにワイヤハーネス２６を構成する。ワイヤハーネス２６は、軸部６ａの中央に形成された穴部６ｂからヘッド部２の外側に引き出される。ワイヤハーネス２６の先端には、不図示のコネクタが取り付けられている。このコネクタは、ヘッド部２の内部に設けられたヘッド基板６０等の回路と制御部３の内部に設けられた各基板（制御基板）とを電気的に接続する。このようにワイヤハーネス２６は、ヘッド部２に設けられたキセノン管５２（発光部）およびコンデンサ２８等の電子部品と、制御部３に設けられた制御基板とを電気的に接続する。空間領域３５は、ワイヤハーネス２６を弛緩状態で収納する。また、バウンスケース６の軸部６ａの先端には、回転板２７が取り付けられている。ヘッド部２の左右旋回を所定の角度で規制する役割を有する。また、回転板２７は、制御部３からのヘッド部２の抜け止めの役割を有し、ヘッド部２と制御部３の連結部として機能している。
【００２０】
次に、制御部３の内部構成について説明する。制御部３の内部中央には、バッテリーケース２４が設けられている。バッテリーケース２４の電池収納部２４ａには、電源用の電池３３（本実施形態では、四本の単三型電池）が略四角形状の配置で収納される。電池収納部２４ａの上方には、ヘッド部２から突出するバウンスケースの軸部６ａとの間において、所定の空間領域３５が設けられている。空間領域３５は、ワイヤハーネス２６を弛緩させた状態で収納するために設けられている。ワイヤハーネス２６は、後述のメイン基板３２、および、基板２５、３４に接続される。このとき、ワイヤハーネス２６がその長さに余裕を持たずに緊張状態を有して接続された場合、ヘッド部２の左右旋回動作により捩じり力を受け、断線する可能性がある。このため、ワイヤハーネス２６を空間領域３５内にて左右旋回動作の影響を受けないように十分な弛みを持たせて収納する。
【００２１】
バッテリーケース２４の背面側、すなわちリアカバー１３側には、デジタル系の回路を備えたメイン基板３２が配置されており、メイン基板３２にはＣＰＵ３１が実装されている。またメイン基板３２には、リアカバー１３の上に配置された電源スイッチ１５等の各種の操作部材に対応したスイッチ素子類も実装される。表示部１４の内側には、ＬＣＤ２９（液晶ディスプレイ）が配置される。バッテリーケース２４の正面側および下面側には、それぞれ、昇圧トランス６１を備えた昇圧回路や不図示のＦＥＴ（電界効果トランジスタ）を備えた発光制御回路を有する基板２５（第一サブ基板）および基板３４（第二サブ基板）が取り付けられている。基板３４に実装された昇圧トランス６１は、ストロボ装置１の上下方向において、電池収納部２４ａよりも脚部９に近い位置に配置されている。
【００２２】
バッテリーケース２４の正面側には、台座２３及び基板２５が互いに重ならないように取り付けられている。台座２３の正面側には、台座２３に一体形成された複数の係止爪２３ａによって、無線モジュール２０が取り付けられている。無線モジュール２０の上端側には、電波を用いた無線通信に用いる（無線通信用）アンテナ２０ａ（チップアンテナ）が実装されていて、中央から下端にかけてシールドケース２０ｂが設けられている。また無線モジュール２０の下端側のコネクタ（不図示）には、メイン基板３２と繋がるフレキシブル基板（不図示）が接続されている。また、フロントカバー７の下部に設けられた窓１１に面する位置に受光センサ２２と投光ユニット３０が左右方向に並列して配置されている。補助光ユニットである投光ユニット３０は、投光ユニット３０内部に設けられたＬＥＤ３０ａ自体に形成された単一の発光パターン形状を拡大して前方へ投影する。窓１１は投光ユニット３０と対向する位置にプリズムが形成され、投光ユニット３０から射出される単一のパターンを複数に光線分割して投影する。以上のように、投光ユニット３０は、焦点検出のための補助光を照射する。
【００２３】
このように、フロントカバー７のバルジ部７ａの内側に沿って、上側に無線モジュール２０、下側に受光センサ２２、投光ユニット３０が配置されている。このとき、アンテナ２０ａは、ストロボ装置１の前後方向において、窓１１と重ならない位置に配置されている。フロントカバー７の正面側には、少なくとも受光センサ２２と投光ユニット３０の装着によりバルジ部７ａが必要である。このため、バルジ部７ａを上部まで連続するように形成した内部に無線ユニットとしての無線モジュール２０を収納することにより、無線モジュール２０の搭載による外観への影響を低減することができる。
【００２４】
次に、無線モジュール２０におけるアンテナ２０ａの配置について説明する。無線モジュール２０は、例えば２．４ＧＨｚ帯の無線周波数を使用した双方向通信が可能に構成されている。無線モジュール２０を搭載した複数のストロボ装置を準備することにより、ワイヤレス多灯システムを組むことができる。従来の光パルス信号を利用したワイヤレス多灯システムでは、複数のストロボ装置に関して遮蔽物の影響など受信側ストロボ装置の受光状態に注意を要していたが、電波を利用したワイヤレス多灯システムでは光パルス通信のこのような問題が改善される。さらに、双方向通信が可能なことを利用して自身の充電状態をカメラ側に伝達することができる等の種々の利点がある。
【００２５】
ストロボ装置１の筐体内には、コンデンサ２８や電池３３等の複数の大型の金属体が存在する。このため、これらの金属体の影響を受けないように少なくともアンテナ２０ａの位置に留意して無線モジュール２０を組み込む必要がある。また、一般的にアンテナの特性は無指向性の場合でも所定の平面内において指向性が無いだけである。ワイヤレス多灯システムに用いられる複数のストロボ装置は、一般的に水平面方向の広がりを持って設置されるため、アンテナの指向性を水平面方向において無指向とすることが望ましい。
【００２６】
仮に、本実施例と異なり、無線モジュール２０をヘッド部２の内部に組み込んだ場合、コンデンサ２８の影響を避けるためにワイドパネル５５の収納スペースに重ねて設置する必要がある。この場合、発光ユニットケース５が大型化して外観を損なう。また、次のような問題も生じる。第一に、ヘッド部２の内部から引き出されるワイヤハーネス２６は、無線モジュール２０に接続するフレキシブル基板（不図示）に配線数だけ増加してしまう。ワイヤハーネス２６の増加に伴い、各回転部を通過する配線の処理が困難となるだけでなく、旋回回転時の断線の可能性が増す。第二に、発光ユニットケース５を上方に向けるように旋回動作させて使用すると、無線モジュール２０が傾き、アンテナ２０ａの指向性が水平面に対して異なってしまう。
【００２７】
そこで本実施形態では、上記問題点を回避するため、無線モジュール２０を制御部３の内部に配置する。また、制御部３には電池収納部２４ａとコンデンサ２８との間に位置する空間領域３５が設けられており、無線モジュール２０のアンテナ２０ａは、アンテナ２０ａの後方に空間領域３５が存在するように配置されている。
【００２８】
本実施形態において、アンテナ２０ａは、所定の方向に無指向性のアンテナである。例えば、無線モジュール２０がフロントカバー７のバルジ部７ａの内側に沿って立った姿勢でストロボ装置１の内部に配置された状態で、アンテナ２０ａの指向性は水平面方向（ＸＹ面内方向）に無指向となるように設定されている。また、電池収納部２４ａおよびコンデンサ２８は、アンテナ２０ａの位置を基準として所定の方向（本実施例ではＸＹ面内方向）と異なる方向（本実施例ではＺ方向）に配置されている。
【００２９】
また、本実施形態において、アンテナ２０ａの上下方向の位置は、図３中の一点鎖線Ｈで示されるように、アンテナ２０ａを含む仮想水平面（ＸＹ平面）が、ワイヤハーネス２６に弛みを持たせるために設けた空間領域３５を横切る位置である。このため、無線モジュール２０のアンテナ２０ａの送受信性能は、ストロボ装置１の内部に存在する大型の金属体であるコンデンサ２８や複数の電池３３の影響を小さくできる。
【００３０】
なお、空間領域３５の内部に存在するワイヤハーネス２６も金属線を内包しているため、厳密には送受信性能への影響はゼロではない。しかし、この金属線は、コンデンサ２８や電池３３と比較すればまばらに存在する金属体である。このため、アンテナ２０ａの極近傍に密集して収納されることを避けることにより、送受信性能への影響を小さくすることができる。ただし、アンテナ２０ａの直近に配置される基板２５については、基板２５上のパターンが送受信性能へ影響を及ぼす可能性が高くなる。このため、少なくとも基板２５のパターンとアンテナ２０ａがＸ軸方向において重ならないように配置するのが好ましい。そこで、例えば、基板２５と無線モジュール２０がＸ軸方向において重ならないように配置する。なお、基板２５のパターンとアンテナ２０ａがＸ軸方向において重ならなければ、基板２５と無線モジュール２０がＸ軸方向において重なっていてもよい。また、アンテナ２０ａを含むＸＹ平面におけるアンテナ２０ａの位置は、バルジ部７ａの端（左右方向において中心からずれた位置）に配置されている。アンテナ２０ａが中央に配置される場合と比較して、ワイヤハーネス２６の影響をより受けにくい配置となっている。
【００３１】
次に、受光センサ２２、および、投光ユニット３０の配置について説明する。投光ユニット３０はカメラの撮影光軸とのパララックスを考慮して、できるだけストロボ装置１の下側に配置することが望ましい。また、光を用いた無線通信に用いる受光センサ２２は、光パルス信号を精度よく受信できるように基板３４上に実装される昇圧トランス６１による電磁的な影響をさけるため、昇圧トランス６１から離れた位置に配置することが望ましい。よって、図４に示すように受光センサ２２と投光ユニット３０の左右方向の配置は、投光ユニット３０よりも受光センサ２２が昇圧トランス６１から遠くなるように配置する。また、投光ユニット３０から出射されるＡＦ補助光は、窓１１に反射され迷光となって受光センサ２２に入射されると誤検知することがあるため、フロントケースの一部にマスク部１１ａを形成し、迷光を遮断している。これにより、受光センサ２２と投光ユニット３０を隣接して配置することができる。
【００３２】
以上のように、本実施形態によれば、アンテナは、当該照明装置の上下方向において、受光センサ及び補助光ユニットよりも接続部から離れた位置に配置されている。また、受光センサ及び補助光ユニットは、当該照明装置の左右方向において、並んで配置されている。このようなレイアウトにより、外観を損なうことなく小型に無線モジュール２０、受光センサ２２、投光ユニット３０を収納し、電池やメインキャパシタ等の複数の大型の金属体の影響を受けることなく指向性を確保可能な照明装置を提供することができる。
【００３３】
なお、受光センサ２２は、光パルス信号を受信するためのセンサではなく、赤外線通信のために赤外光を受光するセンサであってもよい。
【符号の説明】
【００３４】
１  ストロボ装置
２  ヘッド部
３  制御部
１１  窓
２０  無線モジュール
２０ａ  アンテナ
２２  受光センサ
２４ａ  電池収納部
３０  投光ユニット
【図１】
2017068067.tif 000003
【図２】
2017068067.tif 000004
【図３】
2017068067.tif 000005
【図４】
2017068067.tif 000006